(57)【要約】【課題】  放電ランプの出力上昇に伴う進相動作を防ぐことである。【解決手段】  スイッチング回路１４は、所定の一定電圧を出力する直流電源の出力間に、交互にオンオフ駆動されて高周波交流を負荷回路１５に出力する一対のスイッチング素子が直列接続されて形成され、負荷回路１５は共振インダクタンス及び共振コンデンサを有し、スイッチング回路１４の一対のスイッチング素子の交互のスイッチング動作により放電ランプ１６に高周波交流を印加する。制御部１８は、通常時は負荷回路１５の放電ランプ１６に流れるランプ電流が所定の一定値になるように、放電ランプ１６の異常時や点灯時には、一対のスイッチング素子の動作周波数が周波数制限値を逸脱したときは、その周波数制限値で一対のスイッチング素子を交互にスイッチング動作させる。【選択図】  図１
2006092949.tif 000002
【特許請求の範囲】
【請求項１】
所定の一定電圧を出力する直流電源と；
前記直流電源の出力間に互いに直列接続され交互にオンオフ駆動される一対のスイッチング素子を有したスイッチング回路と；
共振インダクタンス及び共振コンデンサを有し、前記スイッチング回路の一対のスイッチング素子の交互のスイッチング動作により放電ランプに高周波交流を印加する負荷回路と；
前記負荷回路の放電ランプに流れるランプ電流を検出するランプ電流検出部と；
前記ランプ電流検出部で検出されたランプ電流が所定の一定値になるように前記スイッチング回路の一対のスイッチング素子を交互にスイッチング動作させ、前記一対のスイッチング素子の動作周波数が制限値を逸脱したときはその周波数制限値で前記一対のスイッチング素子を交互にスイッチング動作させる制御部と；
を備えたことを特徴とする放電ランプ点灯装置。
【請求項２】
所定の一定電圧を出力する直流電源と；
前記直流電源の出力間に互いに直列接続され交互にオンオフ駆動される一対のスイッチング素子を有したスイッチング回路と；
共振インダクタンス及び共振コンデンサを有し、前記スイッチング回路の一対のスイッチング素子の交互のスイッチング動作により放電ランプに高周波交流を印加する負荷回路と；
前記負荷回路の放電ランプに流れるランプ電流を検出するランプ電流検出部と；
前記負荷回路の放電ランプに印加されるランプ電圧を検出するランプ電圧検出部と；
前記ランプ電流検出部で検出されたランプ電流が所定の一定値になるように前記スイッチング回路の一対のスイッチング素子を交互にスイッチング動作させ、前記ランプ電流検出部で検出されたランプ電流と前記ランプ電圧検出部で検出されたランプ電圧とから求めたランプ電力が制限値を逸脱したときはその制限値に対応した周波数制限値で前記一対のスイッチング素子を交互にスイッチング動作させる制御部と；
を備えたことを特徴とする放電ランプ点灯装置。
【請求項３】
所定の一定電圧を出力する直流電源と；
前記直流電源の出力間に互いに直列接続され交互にオンオフ駆動される一対のスイッチング素子を有したスイッチング回路と；
共振インダクタンス及び共振コンデンサを有し、前記スイッチング回路の一対のスイッチング素子の交互のスイッチング動作により放電ランプに高周波交流を印加する負荷回路と；
前記負荷回路の放電ランプに流れるランプ電流を検出するランプ電流検出部と；
前記直流電源及び前記スイッチング回路の閉回路に流れる回路電流を検出する回路電流検出部と；
前記ランプ電流検出部で検出されたランプ電流が所定の一定値になるように前記スイッチング回路の一対のスイッチング素子を交互にスイッチング動作させ、前記回路電流検出部で検出された回路電流が制限値を逸脱したときはその制限値に対応した周波数制限値で前記一対のスイッチング素子を交互にスイッチング動作させる制御部と；
を備えたことを特徴とする放電ランプ点灯装置。
【請求項４】
請求項１ないし３のいずれか一記載の放電ランプ点灯装置と；
前記放電ランプ点灯装置を装着する器具本体と；
を具備したことを特徴とする照明器具。
【発明の詳細な説明】
【技術分野】
【０００１】
本発明は、放電ランプを高周波点灯する放電ランプ点灯装置及び照明器具に関する。
【背景技術】
【０００２】
一般に、放電ランプの点灯は放電ランプ点灯装置により行われ、商用周波数の交流電源を整流部で整流し一旦直流電源を得て、さらにインバータ回路により高周波の交流電源に変換し、放電ランプを高周波点灯している。放電ランプ点灯装置は電源が投入されると、放電ランプのフィラメントを予熱した後、放電ランプを点灯させるに必要な始動電圧を発生させて放電ランプに放電を起こさせ、放電ランプが点灯した後に所定の周波数で点灯制御を行う。この場合には、放電ランプ点灯装置は放電ランプに流れるランプ電流を検知してランプ電流一定制御または定ランプ電力一定制御等を行うものがある。
【０００３】
ランプ電流一定制御を行っている場合、放電ランプ点灯装置は、放電ランプの異常時や点灯直後等には定格電力以上の電力を出力するように動作することがある。これは、放電ランプが接続された負荷回路の入力電圧が上昇するためである。このような場合には、負荷回路への入力電圧の上昇に伴いランプ電圧が制限値を越えた場合には安全回路が動作し、インバータ回路の発振を停止するようにしている。
【０００４】
一方、放電ランプのランプ電力を一定に制御して周囲温度によらず安定した光出力を得るようにしたり、また、電流トランスの温度変化による特性変化を補償して、放電ランプが接続される負荷回路の出力を一定に保つようにしたものがある（例えば、特許文献１参照）。
【特許文献１】特開平７−６７３５６号公報（図１）
【発明の開示】
【発明が解決しようとする課題】
【０００５】
ところが、ランプ電流を一定に制御する場合には、放電ランプの異常時や点灯直後等には定格電力の電力を出力させるため、ランプ電圧が上昇する。負荷回路への入力電圧が上昇すると、インバータ回路の無効電流を増加させることになるが、回路電流の無効電流が増加すると回路の効率が低下し、また、回路部品が温度上昇するので、最近はインバータ回路の回路電流の無効電流を低減させた設計となっている。
【０００６】
このことから、ランプ電圧を上昇させようとした場合には、回路電流の無効電流を増加させることができない設計となっていることから、負荷回路への入力電圧を上昇させることができない。このような場合には、インバータ回路のスイッチ素子のスイッチング周波数を下げることによって負荷回路への入力電圧を上昇させることとなるが、スイッチング周波数を下げるとスイッチング素子が進相動作となることがある。進相動作となるとスイッチ素子の破壊につながり、安全上の問題が生じする。
【０００７】
本発明の目的は、放電ランプの出力上昇に伴う進相動作を防ぐことができる放電ランプ点灯装置及び照明器具を提供することである。
【課題を解決するための手段】
【０００８】
請求項１の発明に係わる放電ランプ点灯装置は、所定の一定電圧を出力する直流電源と；前記直流電源の出力間に互いに直列接続され交互にオンオフ駆動される一対のスイッチング素子を有したスイッチング回路と；共振インダクタンス及び共振コンデンサを有し、前記スイッチング回路の一対のスイッチング素子の交互のスイッチング動作により放電ランプに高周波交流を印加する負荷回路と；前記負荷回路の放電ランプに流れるランプ電流を検出するランプ電流検出部と；前記ランプ電流検出部で検出されたランプ電流が所定の一定値になるように前記スイッチング回路の一対のスイッチング素子を交互にスイッチング動作させ、前記一対のスイッチング素子の動作周波数が制限値を逸脱したときはその周波数制限値で前記一対のスイッチング素子を交互にスイッチング動作させる制御部と；を備えたことを特徴とする。
【０００９】
本発明及び以下の各発明において、特に言及しない限り、各構成は以下による。直流電源は、バッテリ、商用交流電圧を整流または整流平滑したもの、商用交流電源に整流平滑回路及び高効率低歪用の昇圧チョッパ回路を接続し整流平滑されたものなど、ほぼ一定の出力電圧で直流電力を供給するものである。
【００１０】
スイッチング回路は一対のスイッチング素子を有し、一対のスイッチング素子は直流電源の出力間に互いに直列接続される。一対のスイッチング素子が互いに直列接続されるとは、直流電源から見て一対のスイッチング素子が直列接続関係にあることをいい、一対のスイッチング素子と直流電源との間に他の回路部品が介在していてもよいし、一対のスイッチング素子の間に回路部品が介在していてもよい。一対のスイッチング素子は、制御部により交互にオンオフ駆動される。
【００１１】
負荷回路は共振インダクタンス及び共振コンデンサを有し、スイッチング回路の一対のスイッチング素子の交互のスイッチング動作により、放電ランプに高周波交流を印加する。ランプ電流検出部は、負荷回路の放電ランプに流れるランプ電流を検出するものである。
【００１２】
制御部は、例えば、放電ランプの始動時には共振インダクタンス及び共振コンデンサの共振周波数近傍の周波数で一対のスイッチング素子を交互にオンオフ駆動し、放電ランプに高電圧を印加して放電を開始させる。そして、放電ランプの点灯後は、放電ランプを流れるランプ電流が一定になるように制御する。ランプ電流検出部で検出されたランプ電流が所定の一定値になるように、一対のスイッチング素子を交互にスイッチング動作させる。制御部の制御方法は上記に限定されない。
【００１３】
また、一対のスイッチング素子は、動作周波数がその周波数制限値を逸脱しないように、その周波数制限値でスイッチング動作する。周波数制限値は、スイッチング周波数を下げることによって負荷回路への入力電圧を上昇させた場合に、スイッチング素子が進相動作とならない最小周波数とする。
【００１４】
請求項２の発明に係わる放電ランプ点灯装置は、所定の一定電圧を出力する直流電源と；前記直流電源の出力間に互いに直列接続され交互にオンオフ駆動される一対のスイッチング素子を有したスイッチング回路と；共振インダクタンス及び共振コンデンサを有し、前記スイッチング回路の一対のスイッチング素子の交互のスイッチング動作により放電ランプに高周波交流を印加する負荷回路と；前記負荷回路の放電ランプに流れるランプ電流を検出するランプ電流検出部と；前記負荷回路の放電ランプに印加されるランプ電圧を検出するランプ電圧検出部と；前記ランプ電流検出部で検出されたランプ電流が所定の一定値になるように前記スイッチング回路の一対のスイッチング素子を交互にスイッチング動作させ、前記ランプ電流検出部で検出されたランプ電流と前記ランプ電圧検出部で検出されたランプ電圧とから求めたランプ電力が制限値を逸脱したときはその制限値に対応した周波数制限値で前記一対のスイッチング素子を交互にスイッチング動作させる制御部と；を備えたことを特徴とする。
【００１５】
本発明は、一対のスイッチング素子の動作周波数に制限を加えることに代えて、放電ランプが一定電力以上を出力しないように電力制限を加えるようにしたものである。放電ランプのランプ電力は、ランプ電流検出部で検出されたランプ電流とランプ電圧検出部で検出されたランプ電圧とを乗算して求め、放電ランプのランプ電力が制限値を逸脱しないように、制御部は、放電ランプのランプ電力が制限値となったときは、その制限値に対応する周波数制限値で一対のスイッチング素子を交互にスイッチング動作させる。
【００１６】
請求項３の発明に係わる放電ランプ点灯装置は、所定の一定電圧を出力する直流電源と；前記直流電源の出力間に互いに直列接続され交互にオンオフ駆動される一対のスイッチング素子を有したスイッチング回路と；共振インダクタンス及び共振コンデンサを有し、前記スイッチング回路の一対のスイッチング素子の交互のスイッチング動作により放電ランプに高周波交流を印加する負荷回路と；前記負荷回路の放電ランプに流れるランプ電流を検出するランプ電流検出部と；前記直流電源及び前記スイッチング回路の閉回路に流れる回路電流を検出する回路電流検出部と；前記ランプ電流検出部で検出されたランプ電流が所定の一定値になるように前記スイッチング回路の一対のスイッチング素子を交互にスイッチング動作させ、前記回路電流検出部で検出された回路電流が制限値を逸脱したときはその制限値に対応した周波数制限値で前記一対のスイッチング素子を交互にスイッチング動作させる制御部と；を備えたことを特徴とする。
【００１７】
本発明は、一対のスイッチング素子の動作周波数に制限を加えること、あるいは放電ランプが一定電力以上を出力しないように電力制限を加えるに代えて、直流電源及びスイッチング回路の閉回路に流れる回路電流に制限を加えるようにしたものである。直流電源及びスイッチング回路の閉回路に流れる回路電流は回路電流検出部で検出し、回路電流検出部で検出された回路電流が制限値を逸脱しないように、回路電流が制限値となったときは、その制限値に対応する周波数制限値で一対のスイッチング素子を交互にスイッチング動作させる。
【００１８】
請求項４の発明に係わる照明器具は、請求項１ないし３のいずれか一記載の放電ランプ点灯装置と；前記放電ランプ点灯装置を装着する器具本体と；を具備したことを特徴とする。
【発明の効果】
【００１９】
請求項１の発明によれば、放電ランプのランプ電流を一定制御している場合に、放電ランプの電圧が上昇して放電ランプが定格電力以上の電力を出力するように点灯周波数を下げることによって負荷回路への入力電圧を上昇させるように動作した場合であっても、一対のスイッチング素子の動作周波数は周波数制限値で制限されるので、周波数が下がり過ぎることによる進相動作を防止できる。従って、インバータ回路のスイッチング素子などの部品の破壊を防止できる。
【００２０】
請求項２の発明によれば、ランプ電圧及びランプ電流を検出して、それらの乗算値によりランプ電力を演算し、ランプ電力が制限値を逸脱しないように、一対のスイッチング素子を交互にスイッチング動作させるので、放電ランプの異常時や点灯直後などに、ランプ電圧が上昇して定格より高いランプ電力が出力される場合であっても、ランプ電力の増加を抑制できる。従って、出力上昇に伴う進相動作を防ぐことができ、インバータ回路のスイッチング素子などの部品の破壊を防止できる。
【００２１】
請求項３の発明によれば、直流電源がほぼ一定の出力電圧で直流電力を供給するので、回路電流を制限することによって放電ランプのランプ電力を制限できる。従って、放電ランプの異常時や点灯直後などに、ランプ電圧が上昇して定格より高いランプ電力が出力される場合であっても、ランプ電力の増加を抑制できる。これにより、出力上昇に伴う進相動作を防ぐことができ、インバータ回路のスイッチング素子などの部品の破壊を防止できる。
【００２２】
請求項４の発明によれば、請求項１ないし請求項３のいずれか一記載の発明の効果を有した照明器具を得られる。
【発明を実施するための最良の形態】
【００２３】
（第１の実施の形態）
図１は本発明の第１の実施の形態に係る放電ランプ点灯装置の構成図、図２は制御部のブロック構成図である。図１に示すように、交流電圧電源１１の交流電圧は整流器１２で整流されて直流電圧に変換され、昇圧チョッパ回路１３で昇圧されてスイッチング回路１４に入力される。スイッチング回路１４では直流を高周波交流に変換し、負荷回路１５の放電ランプ１６に高周波交流を印加し高周波点灯する。スイッチング回路１４は駆動部１７を介して制御部１８により制御される。
【００２４】
交流電圧電源１１は、例えば商用１００Ｖの低周波交流電源であり、ダイオードＤ１〜Ｄ４で構成された整流器１２により直流に変換される。整流器１２で変換された直流はＤＣ／ＤＣコンバーターである昇圧チョッパ回路１３で昇圧される。昇圧チョッパ回路１３は、整流器１２に並列接続されたコンデンサＣ１、整流器１２に直列接続されたインダクタＬ１及びダイオードＤ５、インダクタＬ１を介して整流器１２に並列的に接続されたスイッチング素子Ｓ１及び抵抗Ｒ１の直列回路、インダクタＬ１及びダイオードＤ５を介して整流器１２に並列的に接続された電解コンデンサＣ２、電解コンデンサＣ２に並列に接続された抵抗Ｒ２とから構成されている。スイッチング素子Ｓ１は制御部１８によりオンオフ駆動され昇圧チョッパ回路１３の出力である直流電圧を一定に制御する。
【００２５】
昇圧チョッパ回路１３で得られた直流電源の直流は、スイッチング回路１４に入力され高周波交流に変換される。スイッチング回路１４は、一対のスイッチング素子Ｓａ、Ｓｂを直列接続して構成されている。一対のスイッチング素子Ｓａ、Ｓｂは、駆動部１７を介して制御部１８により交互にオンオフ駆動され、昇圧チョッパ回路１３で得られた直流を高周波交流に変換する。
【００２６】
スイッチング回路１４で得られた高周波交流は負荷回路１５に入力される。負荷回路１５は、スイッチング回路１４の一対のスイッチング素子Ｓａ、Ｓｂの接続点から、共振インダクタンスＬ２及び直流カットコンデンサＣ３が直列に接続され、放電ランプ１６に並列に共振コンデンサＣ４が並列接続されて構成されている。
【００２７】
制御部１８には、抵抗Ｒ２を介して検出された昇圧チョッパ回路１３の出力電圧が入力され、制御部１８によりスイッチング素子Ｓ１が制御されて昇圧チョッパ回路１３の出力電圧が一定に制御される。また、制御部１８にはランプ電流検出部１９で検出されたランプ電流が入力され、このランプ電流が一定になるように駆動部１７を介して一対のスイッチング素子Ｓａ、Ｓｂをオンオフ駆動する。そして、一対のスイッチング素子Ｓａ、Ｓｂの動作周波数が制限値を逸脱したときは、その制限値で一対のスイッチング素子Ｓａ、Ｓｂを交互にスイッチング動作させる。
【００２８】
図２に示すように、ランプ電流検出部１９で検出されたランプ電流は、制御部１８の周波数制御手段２２に入力され、ランプ電流が所定値Ｉ０になるように発振器２１に対して発振指令を出力する。すなわち、ランプ電流と予め定められた所定値Ｉ０とを比較し、ランプ電流が所定値Ｉ０となるように発振器２１に対して発振指令を出力する。駆動部１７は発振器２１からの発振周波数で一対のスイッチング素子Ｓａ、Ｓｂを交互にオンオフ駆動する。
【００２９】
また、周波数制御手段２０は発振器２１の発振周波数をフィードバックし、発振器２１からの発振周波数が予め定めた周波数制限値ｆＬ以下であるか否かを判定し、発振器２１の発振周波数が周波数制限値ｆＬを越えないように制限を加える。すなわち、発振器２１の発振周波数が周波数制限値ｆＬとなったときは、その制限値ｆＬで一対のスイッチング素子Ｓａ、Ｓｂを交互にオンオフ駆動する。この場合、周波数制限値ｆＬは、放電ランプ１６の点灯周波数を下げることによって負荷回路１５への入力電圧を上昇させた場合に、進相動作とならない最小周波数とする。
【００３０】
このように、スイッチング回路１４の一対のスイッチング素子Ｓａ、Ｓｂの最小周波数を設定することで、その動作周波数が下がり所定値以上に出力が上昇することを防ぎ、出力上昇に伴う進相動作を防ぐ。例えば、ランプ電力が定格で１００Ｗの場合、最小周波数の設定によりランプ電力が１２０Ｗまでしか出力値が上昇しないように設定し、ランプ電力が１２０Ｗ以下になると、周波数制御手段２０により再びランプ電流一定制御を行う。
【００３１】
第１の実施の形態によれば、放電ランプのランプ電流を一定制御している場合に、放電ランプの電圧が上昇して放電ランプが定格電力以上の電力を出力するように点灯周波数を下げることによって負荷回路への入力電圧を上昇させるように動作した場合であっても、一対のスイッチング素子の動作周波数は周波数制限値で制限されるので、動作周波数が下がり過ぎることによる進相動作を防止でき、インバータ回路のスイッチング素子などの部品の破壊を防止できる。
【００３２】
（第２の実施の形態）
図３は本発明の第２の実施の形態に係る放電ランプ点灯装置の構成図、図４は制御部のブロック構成図である。この第２の実施の形態は、第１の実施の形態に対し、一対のスイッチング素子Ｓａ、Ｓｂの動作周波数に制限を加えることに代えて、放電ランプ１６が一定電力以上を出力しないように電力制限を加えるようにしたものである。図１及び図２と同一要素には同一符号を付し重複する説明は省略する。
【００３３】
図３において、負荷回路１５にはランプ電流検出部１９に加え、ランプ電圧検出部２２が設けられている。そして、ランプ電圧検出部２２で検出されたランプ電圧は制御部１８に入力される。
【００３４】
図４に示すように、ランプ電流検出部１９で検出されたランプ電流は制御部１８の周波数制御手段２２及び制限値発生手段２３に入力され、ランプ電圧検出部２２で検出されたランプ電圧は制限値発生手段２３に入力される。周波数制御手段２２は、ランプ電流が所定値Ｉ０になるように発振器２１に対して発振指令を出力する。すなわち、ランプ電流と予め定められた所定値Ｉ０とを比較し、ランプ電流が所定値Ｉ０となるように発振器２１に対して発振指令を出力する。駆動部１７は発振器２１からの発振周波数で一対のスイッチング素子Ｓａ、Ｓｂを交互にオンオフ駆動する。
【００３５】
制限値発生手段２３はランプ電流及びランプ電圧を入力すると、これらを乗算してランプ電力を求め、求めたランプ電力と予め定めた電力制限値ＰＬとを比較し、ランプ電力がその電力制限値ＰＬとなると、周波数制限値ｆＬを周波数制御手段２０に出力する。
【００３６】
周波数制御手段２０は発振器２１の発振周波数をフィードバックし、発振器２１からの発振周波数が制限値発生手段２３からの周波数制限値ｆＬ以下であるか否かを判定し、発振器２１の発振周波数が周波数制限値ｆＬを越えないように制限を加える。すなわち、発振器２１の発振周波数が周波数制限値ｆＬとなったときは、その周波数制限値ｆＬで一対のスイッチング素子Ｓａ、Ｓｂを交互にオンオフ駆動する。この場合、電力制限値ＰＬは、放電ランプ１６のランプ電力が上昇することによって負荷回路１５への入力電圧が上昇した場合に、進相動作とならない最大電力値とする。
【００３７】
このように、ランプ電流及びランプ電圧を検出し、その乗算値のランプ電力が電力制限値ＰＬを越えないように制御する。例えば、ランプ電力が１００Ｗの場合に、ランプ電力が１２０Ｗを越える場合は、ランプ電力をその制限値（１２０Ｗ）に一定に制御する。そして、ランプ電力が制限値（１２０Ｗ）以下になると再びランプ電流一定制御とする。
【００３８】
第２の実施の形態によれば、放電ランプ１６のランプ電流を一定制御している場合に、放電ランプ１６の電圧が上昇し、放電ランプ１６が定格電力以上の電力を出力するように、点灯周波数を下げることによって負荷回路１５への入力電圧を上昇させるように動作した場合であっても、一対のスイッチング素子Ｓａ、Ｓｂの動作周波数は制限値で制限されるので、動作周波数が下がり過ぎることによる進相動作を防止できる。従って、インバータ回路１４のスイッチング素子Ｓａ、Ｓｂなどの部品の破壊を防止できる。
【００３９】
（第３の実施の形態）
図５は本発明の第３の実施の形態に係る放電ランプ点灯装置の構成図、図６は制御部のブロック構成図である。この第３の実施の形態は、第１の実施の形態に対し、一対のスイッチング素子Ｓａ、Ｓｂの動作周波数に制限を加えることに代えて、直流電源及びスイッチング回路の閉回路に流れる回路電流に制限を加えるようにしたものである。図１及び図２と同一要素には同一符号を付し重複する説明は省略する。
【００４０】
図５において、スイッチング回路１４には回路電流検出部２４が設けられている。そして、回路電流検出部２４で検出された回路電流は制御部１８に入力される。図６に示すように、ランプ電流検出部１９で検出されたランプ電流は制御部１８の周波数制御手段２２に入力され、ランプ電流が所定値Ｉ０になるように発振器２１に対して発振指令を出力する。すなわち、ランプ電流と予め定められた所定値Ｉ０とを比較し、ランプ電流が所定値Ｉ０となるように発振器２１に対して発振指令を出力する。駆動部１７は発振器２１からの発振周波数で一対のスイッチング素子Ｓａ、Ｓｂを交互にオンオフ駆動する。
【００４１】
回路電流検出部２４で検出された回路電流は制御部１８の制限値発生手段２３に入力され、制限値発生手段２３は回路電流と予め定めた電流制限値ＩＬとを比較し、回路電流が電流制限値ＩＬとなると、周波数制限値ｆＬを周波数制御手段２０に出力する。
【００４２】
周波数制御手段２０は発振器２１の発振周波数をフィードバックし、発振器２１からの発振周波数が制限値発生手段２３からの周波数制限値ｆＬ以下であるか否かを判定し、発振器２１の発振周波数が周波数制限値ｆＬを越えないように制限を加える。すなわち、発振器２１の発振周波数が周波数制限値ｆＬとなったときは、その周波数制限値ｆＬで一対のスイッチング素子Ｓａ、Ｓｂを交互にオンオフ駆動する。この場合、電流制限値ＩＬは、スイッチング回路１４の回路電流が増加するすることによって負荷回路１５への入力電圧が上昇した場合に、進相動作とならない最大電流値とする。
【００４３】
このように、第３の実施の形態では、回路電流が電流制限値ＩＬを越えないように制御する。スイッチング回路１４の出力電圧は一定に保持されているので、回路電流が制限値を越えないように制御することによってランプ電力を制限できる。例えば、ランプ電力が１００Ｗの場合、ランプ電力が１２０Ｗ以下となる回路電流では定電流制御を行い、ランプ電力が１２０Ｗを越える回路電流である場合には、回路電流に制限を加えてランプ電力を１２０Ｗの一定に制御する。ランプ電力が１２０Ｗ以下となる回路電流になると、再びランプ電流一定制御を行う。
【００４４】
第３の実施の形態によれば、チョッパ回路１３がほぼ一定の出力電圧で直流電力を供給するので、回路電流を制限することによって放電ランプのランプ電力を制限できる。従って、放電ランプの異常時や点灯直後などに、ランプ電圧が上昇して定格より高いランプ電力が出力される場合であっても、ランプ電力の増加を抑制できる。これにより、出力上昇に伴う進相動作を防ぐことができ、インバータ回路のスイッチング素子などの部品の破壊を防止できる。
【００４５】
（第４の実施の形態）
図７は本発明の第４の実施の形態に係る照明器具の外観斜視図である。照明器具２５は、天井等に直付けされる直付照明器具である。照明器具２５は、照明器具本体２６の下面の両端に一対のランプソケット２７ａ、２７ｂが設けられ、これらランプソケット２７ａ、２７ｂとの間に放電ランプ１６が挟持され接続されている。また、放電ランプ１６に光学的に対向し、放電ランプ１６からの放射光を反射させる反射面２８が形成された反射体２９が照明器具本体２６に取り付けられている。また、照明器具本体２６には、放電ランプ１６を点灯するための放電ランプ点灯装置３０が配設されている。この放電ランプ点灯装置は、第１の実施の形態ないし第３の実施の形態のいずれかの放電ランプ点灯装置である。
【００４６】
第４の実施の形態によれば、第１の実施の形態ないし第３の実施の形態のいずれかの放電ランプ点灯装置の効果を備えた照明器具を提供できる。
【図面の簡単な説明】
【００４７】
【図１】本発明の第１の実施の形態に係る放電ランプ点灯装置の構成図。
【図２】本発明の第１の実施の形態に係る放電ランプ点灯装置の制御部のブロック構成図。
【図３】本発明の第２の実施の形態に係る放電ランプ点灯装置の構成図。
【図４】本発明の第２の実施の形態に係る放電ランプ点灯装置の制御部のブロック構成図。
【図５】本発明の第３の実施の形態に係る放電ランプ点灯装置の構成図。
【図６】本発明の第３の実施の形態に係る放電ランプ点灯装置の制御部のブロック構成図。
【図７】本発明の第４の実施の形態に係る照明器具の外観斜視図。
【符号の説明】
【００４８】
１１…交流電圧電源、１２…整流器、１３…昇圧チョッパ回路、１４…スイッチング回路、１５…負荷回路、１６…放電ランプ、１７…駆動部、１８…制御部、１９…ランプ電流検出部、２０…周波数制御手段、２１…発振器、２２…ランプ電圧検出部、２３…制限値発生手段、２４…回路電流検出部、２５…照明器具、２６…照明器具本体、２７…ランプソケット、２８…反射面、２９…反射体、３０…放電ランプ点灯装置
【図１】
2006092949.tif 000003
【図２】
2006092949.tif 000004
【図３】
2006092949.tif 000005
【図４】
2006092949.tif 000006
【図５】
2006092949.tif 000007
【図６】
2006092949.tif 000008
【図７】
2006092949.tif 000009